(57)【要約】【課題】作業性に優れ、消火活動を迅速に行うことができ、通行の障害とならない消火器具箱を提供する。【解決手段】消火器具箱１００は、固定式外箱１０および移動式内箱２０を有する。固定式外箱１０は箱状の外箱本体１を備える。外箱本体１の底面は開口されており、またその一側面には開口部１ａが形成されている。また、外箱本体１の底部には、当該外箱本体１を支持する４つの支持脚２が取り付けられている。移動式内箱２０は各種消火器具を収納する内箱本体１１を備える。内箱本体１１の底部には、当該内箱本体１１を移動可能にする移動手段である４つのキャスター１２が取り付けられている。通常時には、移動式内箱２０は固定式外箱１０の開口部１ａを介して当該固定式外箱１０内に収納される。【選択図】図１
2008237808.tif 000002
【特許請求の範囲】
【請求項１】
１または複数の消火器具を収納する消火器具箱であって、
前記１または複数の消火器具を収納する移動式内箱と、
前記移動式内箱に取り付けられ、当該移動式内箱を移動可能にする移動手段と、
屋外の所定位置に固定され、前記移動式内箱が出入りするための開口部を有し、前記移動式内箱を覆うように収納する固定式外箱と、を備えることを特徴とする消火器具箱。
【請求項２】
前記移動式内箱は、長手方向における両側方に側壁部をそれぞれ有するとともに、前記側壁部に略鉛直に配され、前記固定式外箱内に収納された場合に当該固定式外箱の前記開口部を覆う被覆部を有することを特徴とする請求項１に記載の消火器具箱。
【請求項３】
前記側壁部の各々は、前記被覆部の側と逆側において略扇状部分を有することを特徴とする請求項２に記載の消火器具箱。
【発明の詳細な説明】
【技術分野】
【０００１】
本発明は、各種消火器具を収納する消火器具箱に関する。
【背景技術】
【０００２】
従来から、道路に面した住宅地の敷地内に、地域住民が初期消火活動を行うための消火器具格納箱が設置されている。この消火器具格納箱には、ホース先端部に取り付けられるノズル（筒先）、放水供給口を開閉するための開閉キー、放水供給口に固定されるスタンドパイプ、および複数のホース等の各種消火器具が収納されている（例えば、特許文献１参照）。また、消火器具格納箱には、これらの消火器具を取り出すための開閉扉が開閉可能に設けられている。
【０００３】
初期消火活動を行う際には、地域住民等の作業者は、開閉扉を開けて消火器具格納箱内に収納された上記消火器具を取り出し、消火現場または放水供給口がある場所まで搬送する。そして、作業者はホースの取り付け作業等を行った後、放水作業を行う。
【特許文献１】特開平１１−２７６６２２号公報
【発明の開示】
【発明が解決しようとする課題】
【０００４】
しかしながら、従来においては、初期消火活動を行う際に、作業者は消火器具格納箱内に収納されている複数の消火器具を当該消火器具格納箱から取り出し、消火現場等まで搬送する必要がある。そのため、これらの消火器具を搬送するための複数の作業者が必要となることが多い。さらに、消火器具は重いことから、搬送する作業者が一名である場合には迅速性に欠ける。その結果、一刻を争う初期消火時に、作業者は即座に対応することができない。
【０００５】
特に、消火現場まで消火器具を搬送する作業者が高齢者や女性である場合、初期消火活動を行うまでの時間を多く要する場合が多い。その結果、初期消火を行うべき時間に初期消火を行うことができない。
【０００６】
また、消火器具格納箱の開閉扉が開いた状態になっている場合には、通行人や通行車両等の障害となる問題がある。
【０００７】
これらの課題に鑑みて、本発明の目的は、作業性に優れ、消火活動を迅速に行うことができ、通行の障害とならない消火器具箱を提供することである。
【課題を解決するための手段】
【０００８】
本発明に係る消火器具箱の要旨とするところは、１または複数の消火器具を収納する消火器具箱であって、
前記１または複数の消火器具を収納する移動式内箱と、
前記移動式内箱に取り付けられ、当該移動式内箱を移動可能にする移動手段と、
屋外の所定位置に固定され、前記移動式内箱が出入りするための開口部を有し、前記移動式内箱を覆うように収納する固定式外箱と、を備えることにある。
【０００９】
前記消火器具箱において、前記移動式内箱は、長手方向における両側方に側壁部をそれぞれ有するとともに、前記側壁部に略鉛直に配され、前記固定式外箱内に収納された場合に当該固定式外箱の前記開口部を覆う被覆部を有し得る。
【００１０】
前記消火器具箱において、前記側壁部の各々は、前記被覆部の側と逆側において略扇状部分を有し得る。
【発明の効果】
【００１１】
本発明によれば、移動式内箱に移動手段を取り付けることにより、初期消火活動を行うにあたり、作業者は当該移動式内箱を消火現場または放水供給口のある場所まで迅速に移動させることができる。それにより、作業者は、重量のある各種消火器具を上記の場所まで手で搬送する必要がなく、各種消火器具を迅速に搬送することができる。したがって、作業性が向上し、作業者は一刻を争う初期消火活動に迅速に対応できる。
【００１２】
また、各種消火器具を移動式内箱で搬送することができるので、複数の作業者で搬送を手分けする必要がなく、また、作業者が高齢者や女性である場合でも搬送作業を容易かつ迅速に行うことができる。
【００１３】
また、本発明の消火器具箱は、従前のように消火器具箱の開閉扉を開閉して消火器具を取り出す構成のものではないので、開放されたままの開閉扉が通行人や通行車両の障害になることはない。また、移動式内箱は、固定式外箱内に収納されるときには当該固定式外箱に施錠されるので、震動等により固定式外箱内から外部に出ることはない。
【００１４】
また、移動式内箱が固定式外箱内に収納された場合に、当該移動式内箱の被覆部が固定式外箱の開口部を覆うように配されるので、移動式内箱内の防水および防塵を図ることができる。
【００１５】
さらに、通常、巻かれた状態のホースを迅速に引き伸ばす作業（放水準備作業）には熟練された技能と知識が必要とされ、初心者は当該放水準備作業を迅速に行うことができない場合が多い。このような場合でも、本発明では、移動式内箱を使用することで消火器具の搬送時間を低減することにより、たとえ放水準備作業に時間がかかった場合でも、初期消火活動を行うまでにかかる全体時間を抑えることができる。
【発明を実施するための最良の形態】
【００１６】
以下、本発明の一実施の形態に係る消火器具箱について図面を参照しながら説明する。
【００１７】
図１は、本実施の形態に係る消火器具箱の構成を示す斜視図である。図１に示すように、本実施の形態に係る消火器具箱１００は、固定式外箱１０および移動式内箱２０を有する。
【００１８】
上記の固定式外箱１０は箱状の外箱本体１を備える。外箱本体１の底面は開口されており、またその一側面には開口部１ａが形成されている。また、外箱本体１の底部には、当該外箱本体１を支持する４つの支持脚２が取り付けられている。外箱本体１は４つの支持脚２により、例えば道路に面した住宅地の敷地等の屋外に固定される。
【００１９】
上記の移動式内箱２０は後述の各種消火器具を収納する内箱本体１１を備える。内箱本体１１の底部には、当該内箱本体１１を移動可能にする移動手段である４つのキャスター１２が取り付けられている。４つのキャスター１２のうちいずれか２つのキャスター１２にはストッパーが付いている。
【００２０】
ここで、内箱本体１１の長さ方向における両側各側面部を構成する側壁部１１ａ（図１では、片側の側壁部１１ａのみ図示）は略扇状部分を有している。このように、側壁部１１ａが略扇状部分を有していることによって、当該略扇状部分の周縁部から内箱本体１１の底部までの距離が短くなり、作業者は内箱本体１１から消火器具を取り出し易くなる。これにより、搬出作業の作業性が向上する。
【００２１】
内箱本体１１の内部領域は、仕切部１１ｂにより２つの領域に区画されている。このように構成することによって、後述の各種消火器具を収納および取り出すことが容易となるとともに、同種の消火器具を同領域に収納することができる。それにより、消火器具の取り出し等の作業性が向上する。
【００２２】
また、内箱本体１１は、上記の各側壁部１１ａに略垂直に配される被覆部１３を備える。この被覆部１３は、移動式内箱２０が固定式外箱１０内に収納された場合に当該固定式外箱１０の開口部１ａを被覆する。これにより、移動式内箱２０内の防水および防塵を図ることができる。なお、側壁部１１ａの上記略扇状部分は被覆部１３がある側と逆側に形成されている。したがって、移動式内箱２０内の防水および防塵を確実に実現できる。
【００２３】
内箱本体１１の被覆部１３には引取手１３ａが設けられ、当該内箱本体１１の側壁部１１ａには複数の反射テープ１４が貼付されている。反射テープ１４は車のライトの光等が照射されると、当該光を反射するので、車の運転者は作業者の位置を認識できる。これにより、作業中の事故を防止できる。
【００２４】
通常時には、移動式内箱２０は固定式外箱１０の開口部１ａを介して当該固定式外箱１０内に収納されている。この場合、移動式内箱２０が震動等により固定式外箱１０内から出てしまわないように、当該移動式内箱２０は固定式外箱１０に施錠される。
【００２５】
そして、初期消火活動を行う際には、作業者により移動式内箱２０の施錠状態が開錠され、移動式内箱２０が固定式外箱１０内から取り出される。
【００２６】
図２は、図１の移動式内箱２０内に収納される各種消火器具を示す模式図である。図２（ａ）には、巻かれた状態にあるホース３０が示されている。移動式内箱２０内には、このホース３０が例えば３本収納されている。
【００２７】
図２（ｂ）には、十字型の開閉キー３１が示されている。開閉キー３１は放水供給口を開閉するためのものである。
【００２８】
図２（ｃ）には、ホース３０の先端に取り付けられるノズル（筒先）３２が示されている。図２（ｄ）には、スタンドパイプ３３が示されている。スタンドパイプ３３は、上述の放水供給口に取り付けるものであり、当該スタンドパイプ３３の先端にホース３０を取り付ける。それにより、ホース３０を放水供給口に直接取り付ける場合よりも、ホース３０内に水が供給され易くなる。
【００２９】
なお、上述の図２においては、ホース３０が巻かれた状態にある場合について説明したが、これに限定されるものではなく、当該ホース３０が折り畳んだ状態にあってもよい。これにより、ホース３０の引き伸ばし作業をより迅速に行うことができる。
【００３０】
また、折り畳んだ状態のホース３０の先端にノズル３２が予め取り付けられ、当該ホース３０の後端にスタンドパイプ３３が予め取り付けられていてもよい。これにより、初期消火時に、ホース３０に対するノズル３２およびスタンドパイプ３３の取り付け作業を行う必要がなく、初期消火活動に迅速に対応することができる。
【００３１】
（本実施の形態における効果）
【００３２】
本実施の形態においては、移動式内箱２０に移動手段であるキャスター１２を取り付けることにより、初期消火活動を行うにあたり、作業者は当該移動式内箱２０を消火現場または放水供給口のある場所まで迅速に移動させることができる。それにより、作業者は、重量のある各種消火器具を上記の場所まで手で搬送する必要がなく、各種消火器具を迅速に搬送することができる。したがって、作業性が向上し、作業者は一刻を争う初期消火活動に迅速に対応できる。
【００３３】
また、各種消火器具を移動式内箱２０で搬送することができるので、複数の作業者で搬送を手分けする必要がなく、また、作業者が高齢者や女性である場合でも搬送作業を容易かつ迅速に行うことができる。
【００３４】
また、本発明の消火器具箱１００は、従前のように消火器具箱の開閉扉を開閉して消火器具を取り出す構成のものではないので、開放されたままの開閉扉が通行人や通行車両の障害になることはない。また、移動式内箱２０は、固定式外箱１０内に収納されるときには当該固定式外箱１０に施錠されるので、震動等により固定式外箱１０内から外部に出ることはない。
【００３５】
また、移動式内箱２０が固定式外箱１０内に収納された場合に、当該移動式内箱２０の被覆部１３が固定式外箱１０の開口部１ａを覆うように配されるので、移動式内箱２０内の防水および防塵を図ることができる。
【００３６】
さらに、通常、巻かれた状態のホース３０を迅速に引き伸ばす作業（放水準備作業）には熟練された技能と知識が必要とされ、初心者は当該放水準備作業を迅速に行うことができない場合が多い。このような場合でも、本発明では、移動式内箱２０を使用することで消火器具の搬送時間を低減することにより、たとえ放水準備作業に時間がかかった場合でも、初期消火活動を行うまでにかかる全体時間を抑えることができる。
【００３７】
なお、上記実施の形態では、固定式外箱１０内に一つの移動式内箱２０を収納することとしたが、これに限定されるものではなく、複数（例えば、２つ）の移動式内箱２０を収納してもよい。
【００３８】
以上、本発明に係る消火器具箱の態様を説明したが、本発明はその趣旨を逸脱しない範囲内で、当業者の知識に基づき種々の改良、修正または変形を加えた態様で実施し得るものであり、これらの態様はいずれも本発明の技術的範囲に属するものである。
【産業上の利用可能性】
【００３９】
本発明に係る消火器具箱は、地域住民の住宅地または工場等において利用することができる。
【図面の簡単な説明】
【００４０】
【図１】本実施の形態に係る消火器具箱の構成を示す斜視図である。
【図２】図１の移動式内箱内に収納される各種消火器具を示す模式図である。
【符号の説明】
【００４１】
１  外箱本体
１ａ  開口部
２  支持脚
１０  固定式外箱
１１  内箱本体
１１ａ  側壁部
１１ｂ  仕切部
１２  キャスター
１３  被覆部
１３ａ  引取手
１４  反射テープ
２０  移動式内箱
３０  ホース
３１  開閉キー
３２  ノズル
３３  スタンドパイプ
１００  消火器具箱
【図１】
2008237808.tif 000003
【図２】
2008237808.tif 000004